(57)【要約】【課題】  振動や戸棚内部からの衝撃等によって引き戸がレールから脱落することを防止するレールシステムを提供する。【解決手段】  本発明のレールシステムは、引き戸構造の戸棚に用いられるレールシステムであって、前記引き戸の下端部に配置される走行部が走行する被走行部と、前記被走行部から戸棚内部の方向に、前記被走行部に沿って形成されている嵌合部と、前記引き戸の下端部において、前記被走行部よりも前記戸棚内部側に取付可能であって、当該引き戸に取り付けられた際に前記嵌合部に嵌合するように形成された規制部を有するパネルと、前記被走行部より前記戸棚内部側に、前記被走行部に沿って配置されるレールカバーとを備え、前記走行部が前記被走行部を走行することに伴い、前記規制部は、前記嵌合部と前記レールカバーとの間において前記被走行部に沿って走行することを特徴とする。【選択図】  図１
2017214819.tif 000002
【特許請求の範囲】
【請求項１】
引き戸構造の戸棚に用いられるレールシステムであって、
前記引き戸の下端部に配置される走行部が走行する被走行部と、
前記被走行部から戸棚内部の方向に、前記被走行部に沿って形成されている嵌合部と、
前記引き戸の下端部において、前記被走行部よりも前記戸棚内部側に取付可能であって、当該引き戸に取り付けられた際に前記嵌合部に嵌合するように形成された規制部を有するパネルと、
前記被走行部より前記戸棚内部側に、前記被走行部に沿って配置されるレールカバーとを備え、
前記走行部が前記被走行部を走行することに伴い、前記規制部は、前記嵌合部と前記レールカバーとの間において前記被走行部に沿って走行することを特徴とする、レールシステム。
【請求項２】
前記嵌合部は、前記被走行部から戸棚内部の方向に突出している凸部を有する、請求項１に記載のレールシステム。
【請求項３】
前記レールカバーは、前記被走行部に沿う方向において、少なくとも１箇所の開口部を有し、
前記レールカバーの開口部は、前記引き戸が閉じられた状態において、前記引き戸に取り付けられたパネルの規制部と干渉しない位置に設けられることを特徴とする、請求項１または２に記載のレールシステム。
【請求項４】
前記嵌合部は、前記被走行部に沿う方向において、少なくとも１箇所の切り欠き部を有し、
前記切り欠き部は、前記引き戸が閉じられた状態において、前記引き戸に取り付けられたパネルの規制部と干渉しない位置に設けられることを特徴とする、請求項１乃至３のいずれかに記載のレールシステム。
【請求項５】
前記引き戸に取り付けられたパネルは、前記走行部が前記被走行部を走行することに伴い、当該引き戸に対して相対的に上下移動が可能であることを特徴とする、請求項１乃至４のいずれかに記載のレールシステム。
【請求項６】
前記嵌合部は、前記被走行部から戸棚内部の方向に対して凹み形状である凹部を有する、請求項１に記載のレールシステム。
【発明の詳細な説明】
【技術分野】
【０００１】
本発明は、引き戸構造の戸棚等に用いられるレールシステムに関し、より特定的には、戸棚等の内部からの衝撃に対して高い耐衝撃性能を有するレールシステムに関する。
【背景技術】
【０００２】
一般的に、日本の住居の戸棚等には、開き戸構造（いわゆる観音開き）および引き戸構造が採用されている。そして、戸棚等に引き戸構造を採用する場合、開き戸構造を採用した場合と比して開閉のためのスペースが不要となるため、省スペースの要請が高い日本の住宅事情においては利点がある。
【０００３】
しかし、戸棚等に引き戸構造を採用した場合、地震が発生したときに振動により引き戸が開いてしまい、戸棚内部に保存されていた物が落下するおそれがある。また、振動により戸棚内部に保存されていた物が引き戸に衝突し、その結果、引き戸がレールから脱落し、戸棚内部に保存されていた物が飛び出してきてしまうおそれがある。
【０００４】
そこで、従来、戸棚に錠前その他のロック機構を設け、戸棚を平時よりロックしておくことによって、振動時の戸棚の開閉を防ごうとすることが試みられてきた（例えば、特許文献１参照）。
【先行技術文献】
【特許文献】
【０００５】
【特許文献１】特開平１０−３２７９４６公報
【発明の概要】
【発明が解決しようとする課題】
【０００６】
しかしながら、特許文献１に記載のような引き戸及びロック装置では、開閉の都度毎回施錠をせねばならず手間であり、また、施錠を失念してしまった場合はロック機能を果たせないという問題がある。
また、かかるロック機構を設けた場合、引き戸がスライドして開いてしまうことについては防止できるものの、振動により戸棚内の物が引き戸に衝突し、その衝撃で引き戸ごと戸棚内の物が落下してしまうことまでは防止できない。
【０００７】
それ故に、本発明は、上記のような課題に鑑みてなされたものであって、本発明の目的の１つは、振動や戸棚内部からの衝撃等によって引き戸がレールから脱落することを防止するレールシステムを提供することである。
【課題を解決するための手段】
【０００８】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【０００９】
本発明の一局面に係るレールシステムは、引き戸構造の戸棚に用いられるレールシステムであって、前記引き戸の下端部に配置される走行部が走行する被走行部と、前記被走行部から戸棚内部の方向に、前記被走行部に沿って形成されている嵌合部と、前記引き戸の下端部において、前記被走行部よりも前記戸棚内部側に取付可能であって、当該引き戸に取り付けられた際に前記嵌合部に嵌合するように形成された規制部を有するパネルと、前記被走行部より前記戸棚内部側に、前記被走行部に沿って配置されるレールカバーとを備え、前記走行部が前記被走行部を走行することに伴い、前記規制部は、前記嵌合部と前記レールカバーとの間において前記被走行部に沿って走行することを特徴とする。
かかる構成により、本発明の一局面に係るレールシステムは、当該引き戸に取り付けられた際に前記嵌合部に嵌合するように形成された規制部を有するパネルを備えているため、振動や戸棚内部からの衝撃等によって引き戸がレールから脱落することを防止することができる。その結果、戸棚内部に保存されている物が飛び出してくるおそれを軽減できる。
【００１０】
また、好ましくは、前記嵌合部は、前記被走行部から戸棚内部の方向に突出している凸部を有する。
かかる構成により、本発明の一局面に係るレールシステムは、規制部が凸部に確実に嵌合するため、振動や戸棚内部からの衝撃等によって引き戸がレールから脱落することをより確実に防止することができる。
【００１１】
また、好ましくは、前記レールカバーは、前記被走行部に沿う方向において、少なくとも１箇所の開口部を有し、前記レールカバーの開口部は、前記引き戸が閉じられた状態において、前記引き戸に取り付けられたパネルの規制部と干渉しない位置に設けられることを特徴とする。
かかる構成により、本発明の一局面に係るレールシステムは、前記レールカバーが開口部を有し、当該開口部の位置に規制部を合わせて引き戸にパネルを着脱するため、容易に引き戸にパネルを着脱することができる。また、パネルが取り付けられた引き戸をレールから着脱する際も同様に、容易に引き戸を着脱することができる。
さらに、当該開口部は前記引き戸が閉じられた状態において、前記引き戸に取り付けられたパネルの規制部と干渉しない位置に設けられるため、振動や戸棚内部からの衝撃等によって引き戸がレールから脱落することを防止することができる。
【００１２】
また、好ましくは、前記嵌合部は、前記被走行部に沿う方向において、少なくとも１箇所の切り欠き部を有し、前記切り欠き部は、前記引き戸が閉じられた状態において、前記引き戸に取り付けられたパネルの規制部と干渉しない位置に設けられることを特徴とする。
かかる構成により、本発明の一局面に係るレールシステムは、前記嵌合部が切り欠き部を有し、当該切り欠き部の位置に規制部を合わせて引き戸にパネルを着脱するため、容易に引き戸にパネルを着脱することができる。また、パネルが取り付けられた引き戸をレールから着脱する際も同様に、容易に引き戸を着脱することができる。
さらに、当該切り欠き部は前記引き戸が閉じられた状態において、前記引き戸に取り付けられたパネルの規制部と干渉しない位置に設けられるため、振動や戸棚内部からの衝撃等によって引き戸がレールから脱落することを防止することができる。
【００１３】
また、好ましくは、前記引き戸に取り付けられたパネルは、前記走行部が前記被走行部を走行することに伴い、当該引き戸に対して相対的に上下移動が可能であることを特徴とする。
かかる構成により、本発明の一局面に係るレールシステムは、前記走行部が前記被走行部を走行することに伴い、パネルが当該引き戸に対して相対的に上下移動が可能であるため、仮に、レールや走行部が歪んでいたり、被走行部に小さなごみ等の障害物があったりしたとしても、規制部が、嵌合部に引っ掛かることなく嵌合しつつ、前記嵌合部と前記レールカバーとの間において前記被走行部に沿って走行することができる。
【００１４】
また、好ましくは、前記嵌合部は、前記被走行部から戸棚内部の方向に対して凹み形状である凹部を有する。
かかる構成により、本発明の一局面に係るレールシステムは、規制部が凹部に確実に嵌合するため、振動や戸棚内部からの衝撃等によって引き戸がレールから脱落することをより確実に防止することができる。
【発明の効果】
【００１５】
以上のように、本発明によれば、振動や戸棚内部からの衝撃等によって引き戸がレールから脱落することを防止するレールシステムを実現することができる。
【図面の簡単な説明】
【００１６】
【図１】本発明の第１の実施形態に係るレールシステム１００の概要を示す断面図である。
【図２】本発明の第１の実施形態に係るレールシステム１００の詳細な構造を示す拡大断面図である。
【図３】本発明の第１の実施形態に係るレールシステム１００におけるパネル１４０の規制部１４１が凸部１３１に嵌合される際の様子を示す斜視図である。
【図４】本発明の第１の実施形態に係るレールシステム１００におけるパネル１４０の規制部１４１が凸部１３１に嵌合された様子を示す斜視図である。
【図５】本発明の第２の実施形態に係る引き戸用ロック装置２００の概要を示す断面図である。
【図６】図６は、本発明の第２の実施形態に係る引き戸用ロック装置２００のうち、ロック機構２１０の概要を示す正面図である。
【発明を実施するための形態】
【００１７】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００１８】
＜第１の実施形態＞
図１は、本発明の第１の実施形態に係るレールシステム１００の概要を示す断面図である。図１において、レールシステム１００は、レール基部１１０と、レール（被走行部）１２０と、嵌合部１３０と、パネル１４０と、レールカバー１５０とを備え、引き戸構造の戸棚に用いられている。
【００１９】
３枚の引き戸１０が設けられており、それぞれの引き戸１０は同様の構造を有している。引き戸１０の下端部には、キャスター（走行部）２０が設けられており、当該キャスター２０がレール１２０上を図１に示したＺ軸方向に走行することによって、引き戸１０が開閉されることになる。
【００２０】
なお、図１に示した戸棚には３枚の引き戸１０が備えられているが、引き戸は３枚に限定されるものではなく、例えば、１枚であっても２枚であっても構わない。引き戸の数が多ければ開口面積を大きく利用することができ、引き戸の数を少なくすれば引き戸を配置する際の厚み（Ｘ軸方向の領域）を小さくすることができる等の効果があるため、用途等に応じて設定すれば良い。
【００２１】
図２は、本発明の第１の実施形態に係るレールシステム１００の詳細な構造を示す拡大断面図である。ここでは、１枚の引き戸１０の下端部周辺に関し、レールシステム１００の構造について、詳しく説明する。
【００２２】
レール基部１１０は、戸棚の底面において、引き戸１０が取り付けられる開口部近郊に沿って配置される。
【００２３】
レール１２０は、引き戸１０の下端部に配置されるキャスター２０が走行するように形成されている。なお、ここでは、引き戸１０が開閉される際、キャスター２０がレール１２０上を転動しながら引き戸１０が移動するが、走行部および被走行部はこれらに限定されるものではなく、引き戸１０が開閉可能な構成であれば、例えば、走行部が被走行部を摺動するような構成であっても構わない。
【００２４】
嵌合部１３０は、レール１２０から戸棚内部の方向に、レール１２０に沿って形成されている。ここでは、嵌合部１３０は、レール１２０から戸棚内部の方向に突出している凸部１３１を有する構成となっている（Ｘ軸正の方向）。なお、凸部１３１は、レール１２０に沿って引き戸１０が移動する範囲において（Ｚ軸方向）連続的に形成されているが、後述するように、パネル１４０の着脱を容易にするために、一部に切り欠きを有する構成であっても構わない。
【００２５】
パネル１４０は、引き戸１０のうち戸棚内部側の下端部に取り付けられており、嵌合部１３０（凸部１３１）に嵌合するように形成された規制部１４１を有している。引き戸１０を開閉させる際、キャスター２０がレール１２０を走行することに伴い、規制部１４１は、嵌合部１３０（凸部１３１）に嵌合している状態を維持しながら、レール１２０に沿って走行する。さらに、戸棚内部側には、レールカバー１５０の一部が立設している。
【００２６】
これにより、引き戸１０を開閉動作させる際および引き戸１０を停止させている際、鉛直方向（Ｙ軸方向）および戸棚の内外部方向（Ｘ軸方向）において、キャスター２０がレール１２０から脱落することを防止するとともに、その動作範囲を制御することができる。その結果、振動や戸棚内部からの衝撃等によって戸棚内部に保存されている物が飛び出してくるおそれを軽減できる。
【００２７】
レールカバー１５０は、レール基部１１０の上に、レール１２０より戸棚内部側にレール１２０に沿って配置されており、上述したように、一部を立設させている形状であることから引き戸１０の動作範囲を制限するとともに、レール基部１１０を覆うことによって、ゴミ、埃、塵などの侵入を防止する防塵機能を有している。
【００２８】
図３は、本発明の第１の実施形態に係るレールシステム１００におけるパネル１４０の規制部１４１が凸部１３１に嵌合される際の様子を示す斜視図であり、図４は、本発明の第１の実施形態に係るレールシステム１００におけるパネル１４０の規制部１４１が凸部１３１に嵌合された様子を示す斜視図である。ここでは、引き戸に取り付けられるパネル１４０と凸部１３１とについて、詳しく説明する。
【００２９】
図３に示すように、パネル１４０の下端部両側にそれぞれ規制部１４１が形成されており、凸部１３１には、当該パネル１４０の規制部１４１に対応するように切り欠き部１３１ａが形成されている。図４に示すように、パネル１４０に備えられた２つの規制部１４１は、凸部１３１に設けられた切り欠き部１３１ａの位置に合わせられた後、引き戸が開閉される方向にスライドさせることによって、パネル１４０の規制部１４１が凸部１３１（切り欠き部１３１ａが存在しない位置で）に嵌合することになる。
【００３０】
なお、ここでは、規制部１４１は、パネル１４０の下端部両側にそれぞれ設けられているが、これらの構成に限定されるものではなく、例えば、片側のみに設けられても構わないし、パネル１４０の下端部中央に１つだけ設けられても構わない。また、パネル１４０の下端部全体に亘って設けられる構成であっても構わない。
【００３１】
切り欠き部１３１ａは、これらパネル１４０に設けられる規制部１４１の位置、数、および大きさに応じて、凸部１３１に設けられる。
【００３２】
このように、規制部１４１は、様々な態様が考えられるが、規制部１４１の数が多く、および／または、大きさが大きい場合には、規制部１４１が凸部１３１に嵌合した場合における、耐衝撃性が向上し、振動や戸棚内部からの衝撃等によって引き戸がレールから脱落することを、より防止することができる。一方、規制部１４１の数が少なく、および／または、大きさが小さい場合には、パネル１４０の規制部１４１を凸部１３１に着脱させる際に作業を容易に行うことができる。
【００３３】
規制部１４１の位置、数、および大きさは、上述のような耐衝撃性および着脱容易性を考慮して設定すればよい。
【００３４】
また、切り欠き部１３１ａは、引き戸が閉じられた状態において、引き戸に取り付けられたパネル１４０の規制部１４１と干渉しない位置に設けられる。戸棚の内部に収納されている物を取り出す、または戸棚の内部に物を収納する際に引き戸を開くが、それ以外の場合、通常、引き戸は閉じられた状態である。この場合、パネル１４０の規制部１４１が凸部１３１に嵌合している状態であれば（切り欠き部１３１ａが存在しない位置）、振動や戸棚内部からの衝撃等によって引き戸がレールから脱落することを防止できる。
【００３５】
また、パネル１４０には、長孔（連結機構）１４２が設けられており、引き戸には、当該長孔１４２に対応する突起部が設けられる。引き戸の開閉に伴い、パネル１４０の規制部１４１が凸部１３１に沿って移動することになるが、例えば、キャスター（走行部）やレール（被走行部）が歪んでいたり、ごみ等の障害物が付着していたりした場合、パネル１４０の長孔１４２において引き戸の突起部が上下に移動可能であるから、規制部１４１が凸部１３１に引っ掛かることなく嵌合しつつスムーズに走行することができる。
【００３６】
長孔１４２は、貫通している構成に限定されるものでなく、例えば、溝のような構成であっても構わないし、引き戸に当該長孔を設け、パネルに突起部を設ける構成であっても構わない。換言すれば、パネル１４０が引き戸に対して相対的に上下移動が可能であって、連結される構成であれば、どのような構成であっても構わない。
【００３７】
また、ここでは、長孔１４２の数は、３つとしているが、必ずしてもこれに限定されるものではなく、パネル１４０の大きさ等に応じて適宜設定すればよい。
【００３８】
なお、図３および図４では、説明の便宜上、１つのパネル１４０を用いて説明しているが、事前に引き戸にパネル１４０が装着された状態で、パネル１４０の規制部１４１を凸部１３１に着脱させる場合もある。さらに、３枚の引き戸が備えられた戸棚の場合には、それぞれ同様の構成を備えていても良いことは言うまでもない。
【００３９】
以上のように、本発明の第１の実施形態に係るレールシステム１００によれば、引き戸１０に取り付けられた際に、凸部１３１に嵌合するように形成された規制部１４１を有するパネル１４０を備えているため、振動や戸棚内部からの衝撃等によって引き戸１０（キャスター２０）がレールから脱落することを防止することができる。その結果、戸棚内部に保存されている物が飛び出してくるおそれを軽減できる。
【００４０】
さらに、凸部１３１には切り欠き部１３１ａが備えられているため、パネル１４０の規制部１４１を容易に着脱できるものの、引き戸１０が閉じられた状態においては、切り欠き部１３１ａと規制部１４１とは干渉しないように位置するため、引き戸１０が閉じられた状態において、振動や戸棚内部からの衝撃等によって引き戸１０（キャスター２０）がレール１２０から脱落することを防止することができる。
【００４１】
なお、本実施形態では、パネル１４０の規制部１４１を容易に着脱できるようにするために、凸部１３１に切り欠き部１３１ａを備えていたが、それに代わり、またはそれに加えて、レールカバー１５０に開口部を設ける構成を備えるようにしても構わない。
【００４２】
レールカバー１５０に開口部が設けられていれば、凸部１３１のような形状があったとしても、当該開口部において、パネル１４０の規制部１４１を容易に着脱できる。
【００４３】
なお、本実施形態では、嵌合部１３０は、レール１２０から戸棚内部の方向に突出している凸部１３１を有する構成であったが、逆に、戸棚内部の方向に対して凹み形状である凹部を有する構成であっても構わない。嵌合部１３０が凹部を有する構成である場合には、パネル１４０の規制部は、当該凹部に嵌合するような形状であればよい。
【００４４】
また、３枚の引き戸１０に対応する、レール基部１１０と、レール１２０と、嵌合部１３０とは、全体として一つの部材として形成されていることが好ましい。これらを一つの部材として形成することにより、１枚の引き戸１０のみに衝撃がかかった場合であっても、全体として衝撃を吸収できるため、より高い耐衝撃性能を発揮することができる。
【００４５】
さらに、レールカバー１５０は、パネル１４０の規制部１４１を嵌合部１３０に嵌合させた後、レール基部１１０に嵌入するようにしてもよい。そうすれば、レールカバー１５０が設置されていない状態で、パネル１４０の規制部１４１を嵌合部１３０に嵌合させることができるため、凸部１３１の切り欠き部１３１ａやレールカバー１５０の開口部がなくても、パネル１４０の規制部１４１を容易に嵌合部１３０に嵌合させることができる。また、その後、レールカバー１５０をレール基部１１０に嵌入するように設置し、レールカバー１５０の一部が立設していることにより、引き戸１０の動作範囲を制限するとともに、レール基部１１０を覆うことによって、防塵の侵入を防止している。
【００４６】
＜第２の実施形態＞
図５は、本発明の第２の実施形態に係る引き戸用ロック装置２００の概要を示す断面図である。図５において、引き戸用ロック装置２００は、引き戸１１の下部には本発明の第１の実施形態に係るレールシステム１００の構造を有し、さらに、引き戸１１の上部にロック機構２１０を有する。
【００４７】
図６は、本発明の第２の実施形態に係る引き戸用ロック装置２００のうち、ロック機構２１０の概要を示す正面図である。図６に示すロック機構２１０は、例えば、特許４３５１１１９号および特許第４６４３４２２号に例示されたロック機構であっても構わない。
【００４８】
ロック機構２１０は、レバーハンドル２１１と、ロック解除片２１２と、カバー片２１３と、ロック片２１４とを含み、引き戸１１の上部において、引き戸１１の開閉方向の動きを規制している。
【００４９】
レバーハンドル２１１は、引き戸１１の表面において、上端部から下端部に亘って鉛直方向に形成されており、引き戸１１の開閉時にユーザが把持するように構成されている。
【００５０】
ロック解除片２１２は、引き戸１１の上面に配置され、引き戸１１の開閉方向に沿ってスライド自在に装着されており、レバーハンドル２１１の操作に連動してスライドする。
【００５１】
カバー片２１３には、ロック解除片２１２が出入りし、ロック片２１４を制御している。
【００５２】
引き戸１１を閉塞位置に移動させると、カバー片２１３がロック片２１４によりロックされ、カバー片２１３と引き戸１１の移動が規制されたロック状態となる。一方、レバーハンドル２１１を操作すると、レバーハンドル２１１の操作と連動してスライドするロック解除片２１２がロック片２１４方向にスライドし、ロック片２１４をカバー片２１３上に押し上げることによりロック状態が解除される。
【００５３】
このように、ロック機構２１０は、引き戸１１が閉じられた状態（閉塞位置）にある場合、レバーハンドル２１１の操作によってロック状態を解除しない限り、開かないようになっている。
【００５４】
以上のように、本発明の第２の実施形態に係る引き戸用ロック装置２００によれば、引き戸１１の下部には本発明の第１の実施形態に係るレールシステム１００の構造を有しているため、振動や戸棚内部からの衝撃等によって引き戸１１がレールから脱落することを防止することができるとともに、引き戸１１の上部にロック機構２１０を有するため、引き戸１１が勝手に開くことも防止できる。その結果、戸棚内部に保存されている物が飛び出してくるおそれを、より確実に軽減できる。
【００５５】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００５６】
本発明は、引き戸構造の戸棚等に用いられるレールシステム等に利用可能であって、さらには、部屋や倉庫等の扉等に用いられるレールシステム等にも有用である。
【符号の説明】
【００５７】
１０、１１  引き戸
２０  キャスター（走行部）
１００  レールシステム
１１０  レール基部
１２０  レール（被走行部）
１３０  嵌合部
１３１  凸部
１３１ａ  切り欠き部
１４０  パネル
１４１  規制部
１４２  長孔（連結機構）
１５０  レールカバー
２００  引き戸用ロック装置
２１０  ロック機構
２１１  レバーハンドル
２１２  ロック解除片
２１３  カバー片
２１４  ロック片
【図１】
2017214819.tif 000003
【図２】
2017214819.tif 000004
【図３】
2017214819.tif 000005
【図４】
2017214819.tif 000006
【図５】
2017214819.tif 000007
【図６】
2017214819.tif 000008